(57)【要約】【課題】  パチンコ機の機外から針金や薄板などを挿入して変動入賞装置の開閉部材を開く不正行為を防止でき、且つ、遊技球を零すことなく容易に遊技を再開できるようにする。【解決手段】  大入賞口扉を閉位置に向けて付勢した外扉１０２と内扉駆動ソレノイド１１０により開閉駆動される内扉１０３とで構成し、通常時は外扉１０２と内扉とがともに起立し、内扉１０３の上端部が外扉受け部１２４の下方に入り込で、外扉１０２と内扉１０３との間に空間ｋが形成され、大当たり時は外扉１０２が内扉１０３に押されて開くが、外部から針金ｗを挿し込んで不正開放しようとすると、針金ｗの先端が外扉１０２と内扉１０３との間の空間ｋに入り込んで、外扉１０２だけ引っ掛かり、内扉１０３まで同時に開くことはできないようにする。【選択図】        図８
2006136507.tif 000002
【特許請求の範囲】
【請求項１】
遊技領域において盤面に沿い略垂直に起立した位置を閉位置とし盤面前方へ所定角度傾動した位置を開位置として開閉作動する扉式の開閉手段を備え、該開閉手段の開閉作動により入賞口に遊技球が入球し難い第１の状態と入賞口に遊技球が入球し易い第２の状態とに変換可能で、該開閉手段の閉作動時に前記第１の状態となり、開作動時に前記第２の状態となるパチンコ機の変動入賞装置であって、
前記開閉手段は、盤面側の配置となる外扉と該外扉の内側に配置され閉位置にて外扉より上端位置が低い設定となる内扉とからなり、これら外扉と内扉とが連動して開閉作動するとともに、人為操作により外扉のみ単独で開くよう構成されていることを特徴とするパチンコ機の変動入賞装置。
【請求項２】
前記内扉は駆動源に連結されて開閉駆動され、前記外扉は弾性体により常時起立するよう付勢されるとともに前記内扉を介して前記駆動源により開方向にのみ駆動されるよう構成されていることを特徴とする請求項１に記載のパチンコ機の変動入賞装置。
【請求項３】
閉位置にて前記外扉の上端部は装置本体パネルの外扉受け部前面に当接し、前記内扉の上端部は前記外扉受け部の下方に入り込み、前記外扉の内面と前記内扉の外面との間に上部開放の空間が形成されるよう構成されていることを特徴とする請求項１または２に記載のパチンコ機の変動入賞装置。
【請求項４】
前記内扉は上端面が内面側から外面側に向かって下り傾斜した傾斜面とされていることを特徴とする請求項３に記載のパチンコ機の変動入賞装置。
【請求項５】
前記外扉と前記内扉とが共に開いた時は、両扉の内面が共に遊技球を受ける面となって遊技球を入賞口に案内するよう構成されていることを特徴とする請求項１〜４のいずれか１項に記載のパチンコ機の変動入賞装置。
【発明の詳細な説明】
【技術分野】
【０００１】
本発明は、パチンコ機の変動入賞装置に関し、特に、不正行為防止のための技術に関する。
【背景技術】
【０００２】
従来から、パチンコ機には、変動入賞装置、可変入賞装置、大入賞口などの名称で呼ばれている短時間に大量の賞球を獲得できる状態に変換可能な入賞装置が設けられている。この入賞装置（以下、変動入賞装置と呼ぶ。）は、通常時には開閉部材が閉じて入賞口に遊技球が入球しないようになっているが、所定条件が成立すると（大当たり）、開閉部材が開いて遊技球が入球し易い状態に変換するよう構成されている。例えば遊技盤面に図柄始動口と図柄表示装置を備えたパチンコ機では、発射された遊技球が図柄始動口に入賞することにより、大当たり乱数値が１つ抽出され、その値が予め決められた大当たり値と一致することが、上記所定条件であり、その条件が成立した場合、図柄表示装置に大当たり図柄が表示されると共に、変動入賞装置が作動し、遊技球が入球し易い状態に変換する。このような短時間に大量の賞球を獲得できる状態に変換可能な変動入賞装置がパチンコ遊技の面白さの大きな部分を占めている。
【０００３】
しかし、変動入賞装置が作動し、遊技球が入球し易い状態に変換するのは、乱数抽選という電気的くじ引きの結果であり、それ相応の投資が必要だったり、運に恵まれる必要があったりするため、不正な操作により賞球を獲得しようとする遊技者（ゴト師）が後を絶たない。そして、その不正行為（ゴト行為）の１つに、上皿パネルやガラス枠などの隙間から針金や薄板などを挿入し、変動入賞装置の開閉部材を不正に開いて、発射した遊技球が変動入賞装置の入賞口に入球し易くし、不正に多量の賞球を得ようとするものがある。
【０００４】
そこで、これらの不正に対処するために、大当たり中でない大入賞口での検知結果は即座に賞球せずに記憶するだけにしておくことにより不正行為による球の払い出しを防止し、パチンコ機裏面の払出基板に設けたスイッチを押下すると払い出しできるようにしたパチンコ機が提案されている（例えば、特許文献１参照。）。
【特許文献１】特開２００４−１５９９４４号公報
【発明の開示】
【発明が解決しようとする課題】
【０００５】
しかし、不正行為による入賞は記憶するだけで賞球の払い出しを行わず、パチンコ機裏面のスイッチを押すことにより払い出しを再開できるようにした上記従来のパチンコ機では、払い出しを再開するときに、パチンコ機裏面のボタンを押すためにパチンコ機全体を開けるという手間のかかる作業が必要であり、また、パチンコ機全体を開けると、島設備の上下とパチンコ機との間の遊技球の経路が遮断されるため、島設備の球補給路から、また、パチンコ機上部の球タンクの補給路から球が零れ、パチンコ機下部では、機外へ排出される入賞球やアウト球が遊技者の手前に零れるという不都合がある。
【０００６】
本発明はこうした問題を解決するためのもので、パチンコ機の機外から針金や薄板などを挿入して変動入賞装置の開閉部材を開く不正行為を防止することができ、且つ、遊技球を零すことなく容易に遊技を再開できるようにすることを目的とする。
【課題を解決するための手段】
【０００７】
請求項１に係るパチンコ機の変動入賞装置は、遊技領域において盤面に沿い略垂直に起立した位置を閉位置とし盤面前方へ所定角度傾動した位置を開位置として開閉作動する扉式の開閉手段を備え、該開閉手段の開閉作動により入賞口に遊技球が入球し難い第１の状態と入賞口に遊技球が入球し易い第２の状態とに変換可能で、該開閉手段の閉作動時に前記第１の状態となり、開作動時に前記第２の状態となるパチンコ機の変動入賞装置であって、前記開閉手段は、盤面側の配置となる外扉と該外扉の内側に配置され閉位置にて外扉より上端位置が低い設定となる内扉とからなり、これら外扉と内扉とが連動して開閉作動するとともに、人為操作により外扉のみ単独で開くよう構成されていることを特徴とする。
【０００８】
パチンコ機の変動入賞装置において、このように、開閉手段を、盤面側の配置となる外扉と該外扉の内側に配置され閉位置にて外扉より上端位置が低い設定となる内扉とからなり、これら外扉と内扉とが連動して開閉作動するとともに、人為操作により外扉のみ単独で開くよう構成することにより、通常時には外扉と内扉とが共に閉じて入賞口に遊技球が入球し難い第１の状態となり、所定条件が成立すると（大当たり）、外扉と内扉とが共に開いて入賞口に遊技球が入球し易い第２の状態になるよう開閉手段を作動させることができる。また、上皿パネルやガラス板パネルなどの隙間から針金や薄板などが挿入され、その例えば針金が装置本体パネルと外扉との間の僅かな隙間から挿し込まれても、その針金は先端が外扉と内扉との間に入り込んでしまうため、外扉には引っ掛かっても内扉まで一緒に引っ掛けることはできない。そのため、外扉は強制的に開けたとしても、同じ針金で同時に内扉まで開けることはできず、内扉を開けようとすると、外扉を開けたまま別の針金等を挿入して内扉に引っ掛ける必要があって、手間がかかり、結果として不正行為を防止できる。
【０００９】
請求項２に係るパチンコ機の変動入賞装置は、請求項１に係るパチンコ機の変動入賞装置において、前記内扉は駆動源に連結されて開閉駆動され、前記外扉は弾性体により常時起立するよう付勢されるとともに前記内扉を介して前記駆動源により開方向にのみ駆動されるよう構成されていることを特徴とする。
【００１０】
このように、内扉は駆動源に連結されて開閉駆動され、外扉は弾性体により常時起立するよう付勢されるとともに内扉を介して駆動源により開方向にのみ駆動されるよう構成することで、通常時には、内扉が駆動源による駆動力で閉じるとともに外扉が弾性体による付勢力で閉じ、所定条件が成立したときには（大当たり）、内扉が駆動源による駆動力で開くとともに外扉が内扉を介して駆動源による駆動力で開くようにでき、また、針金等が挿し込まれて開閉手段が強制的に開けられようとしたときに、内扉は開かないで、外扉だけが付勢力に抗して開くようにできる。
【００１１】
請求項３に係るパチンコ機の変動入賞装置は、請求項１または２に係るパチンコ機の変動入賞装置において、閉位置にて前記外扉の上端部は装置本体パネルの外扉受け部前面に当接し、前記内扉の上端部は前記外扉受け部の下方に入り込み、前記外扉の内面と前記内扉の外面との間に上部開放の空間が形成されるよう構成されていることを特徴とする。
【００１２】
このように閉位置にて外扉の上端部は装置本体パネルの外扉受け部前面に当接し、内扉の上端部は外扉受け部の下方に入り込み、外扉の内面と内扉の外面との間に上部開放の空間が形成されるよう構成することで、例えば針金が装置本体パネルと外扉との間の隙間から挿し込まれたときに、その針金の先端は外扉受け部前面に沿って下降し、外扉と内扉との間の空間となっている部分に容易に入り込み、外扉には引っ掛かっても内扉まで一緒に引っ掛からないようにできる。
【００１３】
請求項４に係るパチンコ機の変動入賞装置は、請求項３に係るパチンコ機の変動入賞装置において、前記内扉は上端面が装置本体の内側から外側に向かって下り傾斜した傾斜面とされていることを特徴とする。
【００１４】
このように内扉の上端面を装置本体の内面側から外面側に向かって下り傾斜した傾斜面とすることで、例えば針金が装置本体パネルと外扉との間の隙間から挿し込まれ、その針金の先端が外扉受け部前面に沿って下降したときに、針金の先端が内扉の上端面に当たっても、針金の先端を傾斜面に沿って下方へ向かわせ、外扉と内扉との間に導いて、確実に外扉のみを引っ掛けさせるようにできる。
【００１５】
請求項５に係るパチンコ機の変動入賞装置は、請求項１〜４のいずれか１項に係るパチンコ機の変動入賞装置において、前記外扉と前記内扉とが共に開いた時は、両扉の内面が共に遊技球を受ける面となって遊技球を入賞口に案内するよう構成されていることを特徴とする。
【００１６】
このように外扉と内扉とが共に開いた時は、両扉の内面が共に遊技球を受ける面となって遊技球を入賞口に案内するよう構成することで、所定条件が成立すること（大当たり）により、外扉と内扉とが共に開いて入賞口に遊技球が入球し易い第２の状態になったときに、外扉と内扉とが協働して遊技球をスムーズに入賞口へ案内するようにできる。
【発明の効果】
【００１７】
以上のとおり、本発明によれば、パチンコ機の機外から針金や薄板などを挿入して変動入賞装置の開閉部材を開く不正行為を確実に防止でき、また、不正行為がなされようとした後のリセットが不要で、遊技球を零すことなく容易に遊技を再開できる。
【発明を実施するための最良の形態】
【００１８】
以下、本発明の実施の形態を図面に基づいて説明する。
【００１９】
（実施の形態の第１例）
図１〜図９は本発明の実施の形態の第１例を示す。図１はパチンコ機の正面図、図２は遊技盤面図、図３は変動入賞装置の分解斜視図、図４は変動入賞装置の大入賞口扉閉作動状態の正面図（ａ）および固定部材等を省略した斜視図（ｂ）、図５は変動入賞装置の大入賞口扉開作動状態の正面図（ａ）および固定部材等を省略した斜視図（ｂ）、図６は変動入賞装置の大入賞口扉の外扉のみ開いた状態の正面図（ａ）および固定部材等を省略した斜視図（ｂ）、図７は変動入賞装置の図４におけるＡ−Ａ断面に相当する大入賞口扉閉作動状態の断面図（ａ）、大入賞口扉開作動開始直後の状態の断面図（ｂ）および大入賞口扉開作動状態の断面図（ｃ）、図８は変動入賞装置の大入賞口扉不正開放のために針金を挿入した状態の断面図（ａ）およびそのＢ部拡大図（ｂ）、図９は変動入賞装置の大入賞口扉不正開放のために挿入した針金を引っ張って外扉を開いた状態の断面図（ａ）およびそのＡ部拡大図（ｂ）である。
【００２０】
図１に示すパチンコ機１は、所謂第１種パチンコ機であって、前枠２の前面にガラス枠３が開閉可能に装着され、ガラス枠３の下に上皿パネル４が開閉可能に装着されている。また、上皿パネル４の下方に隣接する前枠２下部前面には下皿パネル５が一体に設けられている。また、上皿パネル４には上受け皿６が、下皿パネル５には下受け皿７がそれぞれ形成され、下皿パネル５の一側には発射ハンドル８が設けられている。そして、前枠２には、ガラス枠３の後方に図２に示す遊技盤１１が配置されている。
【００２１】
図２に示すように、遊技盤１１の盤面には、レール１２，１３によって遊技領域１４が区画され、該遊技領域１４の略中央に特別図柄表示装置１５、特別図柄記憶ＬＥＤ１６および普通図柄記憶ＬＥＤ１７を備えたセンターケース１８が設けられ、その下に左右の可動片１９、２０により開閉される図柄始動口を構成する普通電動役物２１が設けられ、下部中央に大入賞口扉２２により開閉される大入賞口を構成する変動入賞装置（特別電動役物）２３が設けられ、また、センターケース１８の左右側方に始動ゲート２４，２５および風車２６，２７が設けられ、普通電動役物２１の左右側方に普通袖入賞口２８，２９および普通袖下入賞口３０，３１が設けられ、変動入賞装置２３の左右側方に普通下入賞口３２，３３が設けられ、下端部中央にアウト口３４が設けられている。
【００２２】
このパチンコ機１は、上皿パネル４の後方に遊技球を発射する発射装置（図示せず）が設けられている。そして、遊技球は上受け皿６から整流器（図示せず）を経て発射装置に供給され、発射装置により発射されて、レール１２，１３に案内され、遊技領域１４に打ち込まれる。そして、遊技球は遊技領域１４をランダムな経路を経て流下し、普通入賞口である始動ゲート２４，２５、普通袖入賞口２８，２９、普通袖下入賞口３０，３１、普通下入賞口３２，３３あるいは大入賞口（変動入賞装置２３）に入球（すなわち入賞）すると、それを契機として、賞球ユニット（図示せず）から賞球が払い出される。また、アウト球となった遊技球はアウト口３４から回収される。
【００２３】
変動入賞装置２３は、大入賞口扉２２が遊技領域１４において盤面に沿い略垂直に起立した位置を閉位置とし盤面前方へ所定角度傾動した位置を開位置として開閉作動する扉式の開閉手段を構成し、該大入賞口扉２２の開閉作動により入賞口（大入賞口）に遊技球が入球し難い第１の状態と入賞口（大入賞口）に遊技球が入球し易い第２の状態とに変換可能であって、通常時には開閉手段である大入賞口扉２２が閉じて入賞口（大入賞口）に遊技球が入球（入賞）し難い第１の状態となっているが、発射された遊技球が図柄始動口（普通電動役物２１）に入賞すると、大当たり乱数値が１つ抽出され、その値が予め決められた大当たり値と一致すると（所定条件が成立）、大当たりとなって、特別図柄表示装置に大当たり図柄が表示されると共に、変動入賞装置２３が作動し、大入賞口扉２２が開いて遊技球が入球し易い第２の状態に変換する。
【００２４】
図３に示すように、変動入賞装置２３は、遊技盤１１の盤面に前方から嵌めこまれネジ止めされる大入賞口パネル１０１（装置本体パネル）と、開閉手段としての大入賞口扉２２を構成する外扉１０２および内扉１０３と、それら外扉１０２および内扉１０３を支持する左右の扉軸１０４，１０５および付勢手段としての左右のバネ１０６，１０７（弾性体）と、外扉１０２および内扉１０３に扉軸１０４，１０５を取り付け、バネ１０６，１０７を付設して装置本体パネル１０１に組み付けた状態で、後方から組み付けられて外扉１０２および内扉１０３を固定し、装置本体パネルの背面にネジ止めされる固定部材１０８と、内扉連結部材１０９と、固定部材１０８の裏側に配置されてネジ止めされる駆動手段としての内扉駆動ソレノイド１１０とで構成されている。大入賞口扉２２は外扉１０２と内扉１０３とで構成される。
【００２５】
大入賞口パネル１０１は、上部中央に略矩形の開口１２１が設けられ、その開口１２１の左右側面の下部に軸受け部１２２が設けられ、前面の、開口１２１の左右側縁下方に、バネ１０６，１０７の下端部を受ける溝状のバネ受け部１２３が設けられ、開口１２１の上面内側に段下がり状に外扉受け部１２４が設けられている。また、大入賞口パネル１０１には、開口１２１の左右側方に前述の普通下入賞口３２，３３が形成されている。
【００２６】
外扉１０２は、本体部分が大入賞口パネル１０１の開口１２１をほぼ塞ぐ正面視にて略矩形の板部材で、変動入賞装置２３の正面から見て左右の側面にバネ１０６，１０７の上端部を受けるバネ収納溝１３１が設けられ、底面の左右両端に扉軸１０４，１０５を挿入する扉軸支持部１３２が設けられている。
【００２７】
内扉１０３は、本体部分が外扉１０２よりやや小さい正面視にて略矩形の板部材で、裏面下部の正面から見て右端に、後述する内扉連結部材１０９の凸部１６２と連結するＣ字型の形状の垂下連結部１４１が設けられ、底面に、外扉１０２の左右の扉支持部１３２の間に嵌まり込んで扉軸１０４，１０５を受け入れる扉軸支持部１４２が設けられている。
【００２８】
固定部材１０８は、左右に大入賞口の一般領域を規定する一般領域口１５１，１５２が設けられ、前面には、一般領域口１５１，１５２の外側に隣接して、外扉１０２の左右の扉軸支持部１３２と内扉１０３の扉軸支持部１４２とに挿入された扉軸１０５，１０６を大入賞口パネル１０１の左右の軸受け部１２２に押し込んだ位置に支持する扉軸支持部１５３，１５４が設けられ、また、前面右の一般領域口１５２と扉軸支持部１５４との間に、内扉１０３の垂下連結部１４１と連結する後述の内扉連結部材１０９の凸部１６２を貫通させる上下に長いスリット溝１５５が設けられ、このスリット溝１５５に沿って上下に延びる凸部支持レール１５６が設けられている。また、固定部材１０８の裏面には、図示しないが内扉駆動ソレノイド１１０を固定するネジ穴が設けられている。
【００２９】
内扉連結部材１０９は、Ｌ字型の形状で、下部に内扉駆動ソレノイド１１０と連結する連結部１６１が設けられ、正面の中央部左端には内扉１０３の垂下連結部１４１と連結する凸部１６２が設けられている。
【００３０】
大入賞口扉２２を構成する外扉１０２と内扉１０３は、双方の扉軸支持部１３２および１４２を揃えて扉軸１０４，１０５を挿通することにより連結する。そして、扉軸１０４，１０５にバネ１０６，１０７を装着し、装置本体パネル１０１の開口１２１後方から、扉軸１０４，１０５を大入賞口パネル１０１の左右の軸受け部１２２に挿入し、バネ１０６，１０７の上部を外扉１０２の左右側面のバネ収納溝１３１に嵌め込み、下部を大入賞口パネル１０１前面のバネ受け部１２３に嵌め込む。そして、後方から固定部材１０８を装着し、扉軸支持部１５３，１５４により扉軸１０４，１０５を軸受け部１２２に押し込んだ位置に支持する状態でネジ止めする。そして、内扉連結部材１０９を連結した内扉駆動ソレノイド１１０を取り付ける。また、固定部材１０８には図５等に示すように一般領域口１５１，１５２の下方に入賞センサ１１１を設ける。
【００３１】
この変動入賞装置２３において、外扉１０２は、バネ１０６，１０７により常時盤面に沿い略垂直に起立する閉位置に向けて付勢され、また、バネ１０６，１０７の付勢力に抗して人為操作により盤面前方へ所定角度傾動する開位置に向けて回動可能である。また、内扉１０３は、垂下連結部１４１が内扉連結部材１０９の凸部１６２を介し内扉駆動ソレノイド１１０に連結され、内扉連結部材１０９が内扉駆動ソレノイド１１０により駆動されて凸部１６２が凸部支持レール１５６に沿って上下運動を行うことにより開閉駆動される。そして、外扉１０２は、開方向へは図７の（ｂ）および（ｃ）に示すように内扉１０３を介し連動して駆動される。
【００３２】
図７の（ａ）および図８に示すように、外扉１０２は閉位置にて上端部が大入賞口パネル１０１の外扉受け部１２４の前面に当接する。また、内扉１０３は閉位置にて外扉１０２より上端位置が低い設定で、上端面が内面側から外面側に向かって下り傾斜した傾斜面ｓとされている。また、外扉１０２は、内面の外扉受け部１２４との当接部の下方に切り欠き部１３３が形成されている。
【００３３】
外扉１０２と内扉１０３は、閉位置では共に起立し、外扉１０２の上端部が外扉受け部１２４の前面に当接した状態で、内扉１０３の上端部が大入賞口パネル１０１の外扉受け部１２４の下方に入り込み、外扉１０２の切り欠き部１３３と内扉１０３の外面との間に上部開放の空間ｋが形成される。また、図５および図７の（ｃ）に示すように、外扉１０２と内扉１０３が共に開いた時、内扉１０３は外扉１０２の切り欠き部１３３に重なり、この状態で、外扉１０２の上端部内面と内扉１０２の内面は略面一で、共に遊技球を受ける面となって遊技球ｐを入賞口に案内する。
【００３４】
この変動入賞装置２３は、通常時には図４に示すように大入賞口扉２２が閉じる。このとき、内扉駆動ソレノイド１１０は非作動で、図７の（ａ）に示すように内扉連結部材１０９が下降して凸部１６２が下がり、凸部１６２が垂下連結部１４１を押し下げることにより内扉１０３が起立し、外扉１０２はバネ１０６，１０７の付勢力で起立して上端部が大入賞口パネル１０１の外扉受け部１２４の前面に当接する。この状態で、内扉１０３は上端部が大入賞口パネル１０１の外扉受け部１２４の下方に入り込み、外扉１０２の切り欠き部１３３と内扉１０３の外面との間に上部開放の空間ｋが形成される。
【００３５】
そして、所定条件が成立すると（大当たり）、内扉駆動ソレノイド１１０が作動し、内扉１０３を開くべく内扉連結部材１０９が上昇し、その作動開始直後に図７の（ｂ）に示すように凸部１６２が僅かに上がり、凸部１６２が垂下連結部１４１を僅かに押し上げたところで内扉１０３が外扉１０２に重なって、あたかも一枚の扉の形になり、その後、内扉連結部材１０９がさらに上昇することにより、内扉１０３が外扉１０２を押す状態となって、図５および図７の（ｃ）に示すように両扉１０２，１０３が完全に開く。
【００３６】
また、この変動入賞装置２３は、前枠２と上皿パネル４やガラス枠３との間等の僅かの隙間から針金等を挿入して大入賞口扉２２を開けようとする不正行為がなされようとした場合、図８に示すように例えばその針金ｗは先端が外扉受け部１２４の前面に沿って下降し、上端が外扉受け部１２４の下方に入り込んで、しかも内面側から外面側に向かって下り傾斜した傾斜面ｓとなっている内扉１０３には引っ掛からないで、外扉１０２と内扉１０３との間の空間ｋに入り込む。そのため、図８に示すように針金ｗは外扉１０２だけにしか引っ掛けることができず、この状態で針金ｗを引っ張っても、図９に示すように外扉１０２しか開かない。内扉１０３は閉位置のままの状態である。図６はこの状態を示す（針金は図示せず）。この状態で内扉１０３を開けようとすると、外扉１０２を開けたまま別の針金等を挿入して内扉１０３に引っ掛ける必要があり、手間がかかり、結果として不正行為を防止できる。
【００３７】
（実施の形態の他の例）
また、本発明は図１０、図１１、図１２または図１３に示すような実施の形態も可能である。これらは基本的な構成および作用については上記実施の形態の第１例と同様である。以下、第１例と共通する部分については同じ符号を使用して詳細な説明を省略し、主として第１例と異なる部分を中心に説明する。
【００３８】
図１０は実施の形態の第２例の変動入賞装置の固定部材等を省略した大入賞口扉開作動状態の斜視図（ａ）および大入賞口扉の外扉のみ開いた状態の斜視図（ｂ）である。この例では、第１例の内扉１０３が略矩形の板部材であるのに対し、本体部分が一定間隔（頂部での間隔が１１ｍｍ未満）の山切状の形状の内扉２０３（入賞阻止部材）を有している。この場合、内扉２０３が山切状の形状をしているため、外部から挿入した針金等を引っ掛けることは、第１例以上に困難である。
【００３９】
図１１は実施の形態の第３例の変動入賞装置の大入賞口扉閉作動状態の正面図（ａ）および大入賞口扉の外扉のみ開いた状態の固定部材等を省略した斜視図（ｂ）である。この例では、内扉３０３の外面中央に光源３１２を備えている。この場合、外扉１０２が不正に開かられると、光源が光を放ち、外部に光が漏れて不正行為を行っていることが報知される。
【００４０】
図１２は実施の形態の第４例の変動入賞装置の大入賞口扉の外扉のみ開いた状態の断面図である。この例では、内扉４０３は光透過性の良い材料で成型されて、その前面に色の付いたセルノイドが貼られ（内扉４０３の材料自体が加色した透光性材料であってもよい）、内扉４０３の内側となる大入賞口パネルの頂部内面に光源４１２を設けられている。この場合、外扉１０２と内扉４０３とが共に開いたときには正常状態を示す加色しない光が漏れるが、外扉１０２だけが開いたときには異常状態を示す加色した光が漏れ、不正行為を行っていることが報知される。
【００４１】
図１３は実施の形態の第５例の変動入賞装置近傍の大入賞口扉の外扉のみ開いた状態の断面図である。この例では、変動入賞装置５２３の直上方に配置された普通電動役物（図柄始動口）５２１の下部に光源５１２を備え、外扉５０２の内面および内扉５０３の外面のいずれか一方もしくは両方に反射板５１３が貼られ、外扉５０２のみが開かれた場合に光源５１２から照射された光が反射板５１３で反射されて、両扉５０２，５０３が開かれた場合とは異なって見え、不正行為を行っていることが報知される。
【図面の簡単な説明】
【００４２】
【図１】実施の形態の第１例のパチンコ機の正面図である。
【図２】実施の形態の第１例の遊技盤面図である。
【図３】実施の形態の第１例の変動入賞装置の分解斜視図である。
【図４】実施の形態の第１例の変動入賞装置の大入賞口扉閉作動状態の正面図（ａ）および固定部材等を省略した斜視図（ｂ）である。
【図５】実施の形態の第１例の変動入賞装置の大入賞口扉開作動状態の正面図（ａ）および固定部材等を省略した斜視図（ｂ）である。
【図６】実施の形態の第１例の変動入賞装置の大入賞口扉の外扉のみ開いた状態の正面図（ａ）および固定部材等を省略した斜視図（ｂ）である。
【図７】実施の形態の第１例の変動入賞装置の図４におけるＡ−Ａ断面に相当する大入賞口扉閉作動状態の断面図（ａ）、大入賞口扉開作動開始直後の状態の断面図（ｂ）および大入賞口扉開作動状態の断面図（ｃ）である。
【図８】実施の形態の第１例の変動入賞装置の大入賞口扉不正開放のために針金を挿入した状態の断面図（ａ）およびそのＡ部拡大図（ｂ）である。
【図９】実施の形態の第１例の変動入賞装置の大入賞口扉不正開放のために挿入した針金を引っ張って外扉を開いた状態の断面図（ａ）およびそのＢ部拡大図（ｂ）である。
【図１０】実施の形態の第２例の変動入賞装置の固定部材等を省略した大入賞口扉開作動状態の斜視図（ａ）および大入賞口扉の外扉のみ開いた状態の斜視図（ｂ）である。
【図１１】実施の形態の第３例の変動入賞装置の大入賞口扉閉作動状態の正面図（ａ）および大入賞口扉の外扉のみ開いた状態の固定部材等を省略した斜視図（ｂ）である。
【図１２】実施の形態の第４例の変動入賞装置の大入賞口扉の外扉のみ開いた状態の断面図である。
【図１３】実施の形態の第５例の変動入賞装置近傍の大入賞口扉の外扉のみ開いた状態の断面図である。
【符号の説明】
【００４３】
１  パチンコ機
１１  遊技盤
１４  遊技領域
２１，５２１  普通電動役物（図柄始動口）
２２  大入賞口扉
２３，５２３  変動入賞装置（特別電動役物）
１０１  大入賞口パネル（装置本体パネル）
１０２，５０２  外扉
１０３，２０３，３０３，４０３，５０３  内扉
１０４，１０５  扉軸
１０６，１０７  バネ（弾性体）
１０８  固定部材
１０９  内扉連結部材
１１０  内扉駆動ソレノイド
１２１  開口（大入賞口）
１２２  軸受け部
１２３  バネ受け部
１２４  外扉受け部
１３１  バネ収納溝
１３２  扉軸支持部
１３３  切り欠き部
１４１  垂下連結部
１４２  扉軸支持部
１５１，１５２  一般領域口
１５３，１５４  扉軸支持部
１５５  スリット溝
１５６  凸部支持レール
１６１  連結部
１６２  凸部
３１２，４１２  光源
５１３  反射板
ｋ  空間
ｐ  遊技球
ｓ  傾斜面
ｗ  針金
【図１】
2006136507.tif 000003
【図２】
2006136507.tif 000004
【図３】
2006136507.tif 000005
【図４】
2006136507.tif 000006
【図５】
2006136507.tif 000007
【図６】
2006136507.tif 000008
【図７】
2006136507.tif 000009
【図８】
2006136507.tif 000010
【図９】
2006136507.tif 000011
【図１０】
2006136507.tif 000012
【図１１】
2006136507.tif 000013
【図１２】
2006136507.tif 000014
【図１３】
2006136507.tif 000015